(57)【要約】【課題】雄型連結部材の軸芯と雌型連結部の軸芯が径方向にずれた（目違いして）状態で連結しても、連結面間の隙間をなくし、シール性の良い連結を行う。【解決手段】ケーシング２の内部に先端２ａ部が開口する収納室３を形成し、該収納室３内に、連結する雄型係止部材２３に対応する雌型係止部材７を設け、前記ケーシング２の外周部に変形できる部材からなる雌側の調整部材１６を設けた雌型連結部材１と、  連結体２２と、該連結体２２に、該連結体２２の前方向に突出するように設けた前記雄型係止部材２３と、連結体２２の外周部に変形できる部材からなる雄側の調整部材２１とを設けた雄型連結部材２０とで構成したことを特徴とする連結具。【選択図】図５
2006118302.tif 000002
【特許請求の範囲】
【請求項１】
ケーシングの内部に先端部が開口する収納室を形成し、該収納室に、連結する雄型係止部材に対応する雌型係止部材を設け、前記ケーシングの外周部に変形できる部材からなる調整部材を設けたことを特徴とする雌型連結部材。
【請求項２】
前記ケーシングの後部に蓋体を設け、該蓋体から後方にアンカーバーを突設し、該アンカーバーの後部に抜け止め部を突設し、該アンカーバーの外周部に前記調整部材又は空間保持用のパイプを設け、ケーシング及びアンカーバーが前記抜け止め部を中心として軸芯に直交する方向に変位できるようにしたことを特徴とする請求項１記載の雌型連結部材。
【請求項３】
前記調整部材の外周部及び前記ケーシングの後部に外枠を設け、該外枠に抜け止め部を突設したことを特徴とする請求項１記載の雌型連結部材。
【請求項４】
前記調整部材の外周部及びケーシングの後部に外枠を設け、前記外枠の後部にアンカーバーを突設し、該アンカーバーの後部に抜け止め部を突設したことを特徴とする請求項１記載の雌型連結部材。
【請求項５】
先部が筒状に形成された筒状部と、該筒状部の後部に外面を球面の一部で形成した球状部と、該球状部の後部に円錐面で形成した円錐部とで構成されているケーシングと、
該ケーシングの内部に形成された収納室と、該収納室内部に設けられて雄型係止部材に対応する雌型係止部材と、
前記ケーシングの外周部に設けられ、かつ、後部に前記ケーシングの球面部を回転可能に支承する球面の一部を有する外枠と、
前記外枠又は該外枠に設けたアンカーバーに突設した抜け止め部とからなることを特徴とする雌型係止部材。
【請求項６】
前記収納室の先部に、その内周面を先端部側から後方にかけて内径が徐々に拡大するテーパ面を有し、該テーパ面の内周に沿って一個若しくは複数個からなる前記雌型係止部材を配設し、該雌型係止部材は付勢手段によって先端部側に常に付勢されていることを特徴とする請求項１乃至５のいずれかに記載の雌型連結部材。
【請求項７】
前記ケーシングの後部に設けた蓋体の中央部に前記雌型係止部材を設け、前記ケーシングの内周面の後部には係止溝が全周にわたって形成され、該係止溝の前端面は垂直状の係止面に形成したことを特徴とする請求項１乃至５のいずれかに記載の雌型連結部材。
【請求項８】
連結体と、該連結体に該連結体の前方向に突出するように設けた雄型係止部材と、前記連結体の外周部に変形できる部材からなる調整部材を設け、該調整部材の外周部及び前記連結体の後部に外枠を設け、該外枠に抜け止め部を突設したことを特徴とする雄型連結部材。
【請求項９】
連結体と、該連結体に該連結体の前方向に突出するように設けた雄型係止部材と、前記連結体の外周部に変形できる部材からなる調整部材を設け、前記調整部材の外周部及び前記連結体の後部に外枠を設け、該外枠の後部にアンカーバーを突設し、該アンカーバーの後部に抜け止め部を設突設したことを特徴とする雄型連結部材。
【請求項１０】
先部が筒状に形成された筒状部と、該筒状部の後部に外面を球面の一部で形成した球状部と、該球状部の後部に円錐面で形成した円錐部とで構成されている連結体と、
該連結体の先部に突設されて、連結する雌型係止部材に対応する雄型係止部材と、
前記連結体の外周部に設けられ、かつ、後部に前記連結体の球面部を回転可能に支承する球面の一部を有する外枠と、
前記外枠又は該外枠に設けたアンカーバーに突設した抜け止め部とからなることを特徴とする雄型係止部材。
【請求項１１】
ケーシングの内部に先端部が開口する収納室を形成し、該収納室内に、連結する雄型係止部材に対応する雌型係止部材を設け、前記ケーシングの外周部に変形できる部材からなる雌側の調整部材を設けた雌型連結部材と、
連結体と、該連結体に、該連結体の前方向に突出するように設けた前記雄型係止部材と、連結体の外周部に変形できる部材からなる雄側の調整部材とを設けた雄型連結部材とで構成したことを特徴とする連結具。
【請求項１２】
前記雌型係止部材におけるケーシングの後部に蓋体を設け、該蓋体から後方に突出する雌側のアンカーバーを設け、該アンカーバーの後部に雌側の抜け止め部を突設し、該アンカーバーの外周部に雌側の調整部材又は空間保持用のパイプを設け、ケーシング及びアンカーバーが前記抜け止め部を中心として軸芯に直交する方向に変位できるようにした雌型連結部材と、
前記雄型連結部材において、連結体の後部に該連結体から後方に突出する雄側のアンカーバーを設け、該アンカーバーの後部に雄側の抜け止め部を突設し、該アンカーバーの外周部に雄側の調整部材又は空間保持用のパイプを設け、連結体及びアンカーバーが前記抜け止め部を中心として軸芯に直交する方向に変位できるようにした雄型連結部材とで構成したことを特徴とする請求項１１記載の連結具。
【請求項１３】
前記雌側と雄側の両調整部材の外周部及び後部に外枠を設け、該雄側と雌側の外枠に抜け止め部を突設したことを特徴とする請求項１１記載の連結具。
【発明の詳細な説明】
【技術分野】
【０００１】
本発明は連結具及びその構成部品である雌型連結部材及び雄型連結部材に関する。
【背景技術】
【０００２】
従来、シールドセグメントなどの連結すべき部材相互の連結具として特許文献１記載の連結具が知られている。この連結具における雄型係止部材の思想を、特許文献２記載の連結具を構成する雄型連結部材に仮りに応用すると、図２７乃至図３０に示す雌型連結部材２００と雄型連結部材２０１とで構成される連結具が考えられる。なお、この図２７乃至図３０の全体構造は公知ではない。
【０００３】
この図２７乃至図３０に示す仮想の連結具を説明すると、前記雌型連結部材２００は、内部に、奥部に至るにつれて拡径するテーパ穴２０２を形成したケーシング２０３と、外面２０４を前記テーパ穴２０２に沿うテーパ面に形成するとともに内面を奥部に至るにつれて拡径するテーパ面２０５に形成した複数の楔板２０６と、この複数の楔板２０６を前方へ押圧する圧縮バネ２０７とで構成されている。
【０００４】
一方、前記雄型連結部材２０１は、前記雌型連結部材２００に連結するピン状の雄型係止部材２０９を有し、該雄型係止部材２０９の先部に前方が縮径する円錐状の案内部２１０を形成し、後部に後方が縮径する係止部２１１を形成している。
【０００５】
そして、該連結具における連結に際しては、その雌型連結部材２００を回転することなく前記雄型係止部材２０９を雌型連結部材２００内へ挿入することにより、分割された楔板２０６が圧縮バネ２０７に抗して大径側へ押され、複数個の楔板２０６で形成される内径が拡径して雄型係止部材２０９が所定位置まで挿通され、その挿通が終わると、圧縮バネ２０７の付勢力によって楔板２０６が雄型係止部材２０９の係止部２１１に噛合し、雌型連結部材２００と雄型連結部材２０１の連結が行われるようになっている。
【０００６】
また、雄型係止部材２０９は、その基部をナット２１２に螺着し、該ナット２１２の外周にゴム等の弾性部材２１３を設け、該弾性部材２１３を介して連結部材２１４に埋設することで、該弾性部材２１３の弾性により雄型係止部材２０１をその径方向に移動でき、雄型係止部材２０９の軸心Ｘ−Ｘと雌型連結部材２００の軸心Ｙ−Ｙが径方向にずれて（目違いして）雄型連結部材２０１と雌型連結部材２００とが連結できる。
【特許文献１】特許第３６０２３６２号公報
【特許文献２】特開平６−１４６７９４号公報
【発明の開示】
【発明が解決しようとする課題】
【０００７】
図２７乃至図３０に示す連結具においては、その雄型係止部材２０９側のみに弾性部材２１３が設けられているために、次のような問題が生じる。
【０００８】
雄型係止部材２０９を雌型連結部材２００に挿入する際に、図２７に示すように、雄型係止部材２０９の軸心Ｘ−Ｘと雌型連結部材２００の軸心Ｙ−Ｙとが一致している場合には、雄型係止部材２０９の挿入によって図２８に示すように各楔板２０６が圧縮バネ２０７に抗して後退し、楔板２０６の先部が雄型係止部材２０９の角部２１５を乗り越えると図２９に示すように各楔板２０６が圧縮バネ２０７に付勢力によって前進し、雄型係止部材２０９の係止部２１１に係合する。これにより、雄型連結部材２０１と雌型連結部材２００とが連結される。
【０００９】
図３０に示すように、雄型係止部材２０９の軸心Ｘ−Ｘと雌型連結部材２００の軸心Ｙ−Ｙが径方向にずれて（目違いして）雄型係止部材２０９が雌型連結部材２００に挿入された場合には、図３０に示すように弾性部材２１３によって雄型係止部材２０９が軸心Ｘ−Ｘに対して傾斜（αで示す）した状態で連結することができる。
【００１０】
しかし、このように、傾いた雄型係止部材２０９の軸心Ｘ−Ｘと雌型連結部材２００の軸心Ｙ−Ｙがへの字に折れ曲がった状態で連結されると、雄型連結部材２０１の連結面２０１ａと、雌型連結部材２００の連結面２００ａとが非平行状態で連結され、連結すべき部材２１４、２１５との連結面２１４ａ、２１５ａ間にわずかな隙間Ｄ２が生じる問題がある。
【００１１】
そこで、本発明は、これらの問題を解決する連結具及びその構成部品である雌型連結部材及び雄型連結部材を提供することを目的とするものである。  
【課題を解決するための手段】
【００１２】
前記の課題を解決するために、請求項１記載の発明は、ケーシングの内部に先端部が開口する収納室を形成し、該収納室に、連結する雄型係止部材に対応する雌型係止部材を設け、前記ケーシングの外周部に変形できる部材からなる調整部材を設けたことを特徴とする雌型連結部材である。
【００１３】
請求項２記載の発明は、請求項１記載の発明において、前記ケーシングの後部に蓋体を設け、該蓋体から後方にアンカーバーを突設し、該アンカーバーの後部に抜け止め部を突設し、該アンカーバーの外周部に前記調整部材又は空間保持用のパイプを設け、ケーシング及びアンカーバーが前記抜け止め部を中心として軸芯に直交する方向に変位できるようにしたことを特徴とする雌型連結部材である。
【００１４】
請求項３記載の発明は、請求項１記載の発明において、前記調整部材の外周部及び前記ケーシングの後部に外枠を設け、該外枠に抜け止め部を突設したことを特徴とする雌型連結部材である。
【００１５】
請求項４記載の発明は、請求項１記載の発明において、前記調整部材の外周部及びケーシングの後部に外枠を設け、前記外枠の後部にアンカーバーを突設し、該アンカーバーの後部に抜け止め部を突設したことを特徴とする雌型連結部材である。
【００１６】
請求項５記載の発明は、先部が筒状に形成された筒状部と、該筒状部の後部に外面を球面の一部で形成した球状部と、該球状部の後部に円錐面で形成した円錐部とで構成されているケーシングと、
該ケーシングの内部に形成された収納室と、該収納室内部に設けられて雄型係止部材に対応する雌型係止部材と、
前記ケーシングの外周部に設けられ、かつ、後部に前記ケーシングの球面部を回転可能に支承する球面の一部を有する外枠と、
前記外枠又は該外枠に設けたアンカーバーに突設した抜け止め部とからなることを特徴とする雌型係止部材である。
【００１７】
請求項６記載の発明は、請求項１乃至５のいずれかに記載の発明において、前記収納室の先部に、その内周面を先端部側から後方にかけて内径が徐々に拡大するテーパ面を有し、該テーパ面の内周に沿って一個若しくは複数個からなる前記雌型係止部材を配設し、該雌型係止部材は付勢手段によって先端部側に常に付勢されていることを特徴とする雌型連結部材である。
【００１８】
請求項７記載の発明は、請求項１乃至５のいずれかに記載の発明において、前記ケーシングの後部に設けた蓋体の中央部に前記雌型係止部材を設け、前記ケーシングの内周面の後部には係止溝が全周にわたって形成され、該係止溝の前端面は垂直状の係止面に形成したことを特徴とする雌型連結部材である。
【００１９】
請求項８記載の発明は、連結体と、該連結体に該連結体の前方向に突出するように設けた雄型係止部材と、前記連結体の外周部に変形できる部材からなる調整部材を設け、該調整部材の外周部及び前記連結体の後部に外枠を設け、該外枠に抜け止め部を突設したことを特徴とする雄型連結部材である。
【００２０】
請求項９記載の発明は、連結体と、該連結体に該連結体の前方向に突出するように設けた雄型係止部材と、前記連結体の外周部に変形できる部材からなる調整部材を設け、前記調整部材の外周部及び前記連結体の後部に外枠を設け、該外枠の後部にアンカーバーを突設し、該アンカーバーの後部に抜け止め部を設突設したことを特徴とする雄型連結部材である。
【００２１】
請求項１０記載の発明は、先部が筒状に形成された筒状部と、該筒状部の後部に外面を球面の一部で形成した球状部と、該球状部の後部に円錐面で形成した円錐部とで構成されている連結体と、
該連結体の先部に突設されて、連結する雌型係止部材に対応する雄型係止部材と、
前記連結体の外周部に設けられ、かつ、後部に前記連結体の球面部を回転可能に支承する球面の一部を有する外枠と、
前記外枠又は該外枠に設けたアンカーバーに突設した抜け止め部とからなることを雌型係止部材である。
【００２２】
請求項１１記載の発明は、ケーシングの内部に先端部が開口する収納室を形成し、該収納室内に、連結する雄型係止部材に対応する雌型係止部材を設け、前記ケーシングの外周部に変形できる部材からなる雌側の調整部材を設けた雌型連結部材と、
連結体と、該連結体に、該連結体の前方向に突出するように設けた前記雄型係止部材と、連結体の外周部に変形できる部材からなる雄側の調整部材とを設けた雄型連結部材とで構成したことを特徴とする連結具である。
【００２３】
請求項１２記載の発明は、請求項１１記載の発明において、前記雌型係止部材におけるケーシングの後部に蓋体を設け、該蓋体から後方に突出する雌側のアンカーバーを設け、該アンカーバーの後部に雌側の抜け止め部を突設し、該アンカーバーの外周部に雌側の調整部材又は空間保持用のパイプを設け、ケーシング及びアンカーバーが前記抜け止め部を中心として軸芯に直交する方向に変位できるようにした雌型連結部材と、
前記雄型連結部材において、連結体の後部に該連結体から後方に突出する雄側のアンカーバーを設け、該アンカーバーの後部に雄側の抜け止め部を突設し、該アンカーバーの外周部に雄側の調整部材又は空間保持用のパイプを設け、連結体及びアンカーバーが前記抜け止め部を中心として軸芯に直交する方向に変位できるようにした雄型連結部材とで構成したことを特徴とする連結具である。
【００２４】
請求項１３記載の発明は、請求項１１記載の発明において、前記雌側と雄側の両調整部材の外周部及び後部に外枠を設け、該雄側と雌側の外枠に抜け止め部を突設したことを特徴とする連結具である。
【発明の効果】
【００２５】
請求項１、３乃至１３記載の発明によれば、雄型連結部材の軸芯と雌型連結部の軸芯が径方向にずれた（目違いして）状態で連結しても、雌型連結部材のケーシング及び雌型係止部材の軸芯と雄型連結部材の雄型係止部材及び連結体の軸芯が一直線となるために、連結される部材相互の連結面間を平行にして連結でき、図３０に示す連結具のような連結面間の隙間をなくし、シール性の良い連結を行うことができる。
【００２６】
請求項２記載の発明によれば、雄型係止部材の軸心と雌型連結部の軸心が径方向にずれて（目違いして）雄型係止部材が雌型連結部材に挿入された場合においても、弾性部材により、雌型係止部材が軸心に対して傾斜して連結することができる。
【００２７】
更に、雄型係止部材が変位する雄型連結部材と組み合わせて使用することにより、雌型連結部材のケーシング及び雌型係止部材の軸芯と雄型連結部材の雄型係止部材及び連結体の軸芯が一直線となるために、連結される部材相互の連結面間を平行にして連結でき、図３０に示す連結具のような連結面間の隙間をなくし、シール性の良い連結を行うことができる。
【００２８】
請求項３乃至５、８乃至１０、１３記載の発明によれば、更に、調整部材の外周部に外枠を設けたことにより、調整部材が連結部材のコンクリート等により影響（例えば、変質）を受けるのを防止できる。
【発明を実施するための最良の形態】
【００２９】
発明を実施するための最良の形態を図に示す実施例に基づいて説明する。
【実施例１】
【００３０】
図１乃至図７は第１実施例を示す。
図１は、本発明の雌型連結部材１を示すものである。
【００３１】
雌型連結部材１は、ケーシング２を有する。該ケーシング２は、筒状、例えば円筒状に形成され、その内部に収納室３が形成されている。該収納室３の先部は、その内周面を先端部３ａ側から後方（奥部）にかけて内径が徐々に拡大するテーパ面にしてなる円錐状のテーパ穴４に形成され、収納室３の中間部は付勢手段収納部５に形成され、収納室３の後部内周には雌ねじ２ａが刻設されている。該ケーシング２における前記テーパ穴４より先部には挿入口（開口部）６が開口形成されている。
【００３２】
また、前記テーパ穴４内には、図１に示すように、周方向に複数に分割してなる複数個の楔状の雌型係止部材７が、ケーシング２の軸方向に摺動可能に配設されている。前記雌型係止部材７の外面は前記テーパ穴４のテーパ面４ａに沿った、すなわち、先端部３ａ側から後方にかけて外径が徐々に拡大する外側テーパ面７ａが形成されている。更に、各雌型係止部材７の内周面には、先端部３ａ側から後方にかけて内径が徐々に拡大する内側テーパ面７ｂが、ケーシング２の軸芯Ｙ−Ｙを中心とする円弧で形成されている。また、前記雌型係止部材７における前記両テーパ面７ａ、７ｂは、軸芯Ｙ−Ｙ方向において傾斜した直線で形成され、かつ、軸芯Ｙ−Ｙに対して内側テーパ面７ｂの傾斜角が外側テーパ面７ａの傾斜角よりも小さく設定されている。
【００３３】
複数個の雌型係止部材７によって係止穴８が形成され、各雌型係止部材７がテーパ穴４のテーパ面に沿って後方（図１の右方）へ移動することにより、その係止穴８が拡径され、先端部３ａ側へ移動することにより、その係止穴８が縮径するようになっている。
【００３４】
各雌型係止部材７の後端には、各雌型係止部材７に共通して係合する付勢手段受け（バネ受け）１０が配置されている。
【００３５】
前記ケーシング２の後部の雌ねじ２ａには、中心部にねじ穴１１ａを形成した蓋板１１が螺着されている。前記付勢手段収納部５内の前記付勢手段受け１０と蓋板１１の間には、付勢手段１２が収納されている。該付勢手段１２は、コイルバネ、ゴム、樹脂、ウレタンなどの弾性部材で形成される。実施例ではコイルバネを使用して圧縮状態で収納されている。該付勢手段１２の付勢力により各雌型係止部材７は、常時先端部３ａ方向へ付勢されている。
【００３６】
前記蓋体１１には、蓋体１１から後方向に突出するアンカーバー１４が螺着して固設されている。アンカーバー１４の後側には、抜け止め部１４ａが外周側へ突出して設けられている。
【００３７】
前記ケーシング２は、図１に示すように、ケーシング２の先端部３ａ側を除いて調整部材１６により覆われている。該調整部材１６は、変形できる部材、例えば、発泡スチロール、ゴム等の弾性材、樹脂、ダンボールなどにより構成されている。調整部材１６は、ケーシング２の外周全面を被覆する筒状部１６ａと、蓋板１１の後部を被覆する鍔状部１６ｂと、該鍔状部１６ｂの内周側から後方へ突出して前記アンカーバー１４の外周に係止する環状の係止部１６ｃとからなり、これらは一体に形成され、ケーシング２に嵌着されている。
【００３８】
アンカーバー１４の外周には、ゴム等の弾性材もしくは金属からなる空隙保持用パイプ１７が設けられており、アンカーバー１４と空隙保持用パイプ１７の間には空隙１８が設けられている。空隙保持用パイプ１８の先端部は、前記調整部材１６の係止部１６ｃの外側面に係止し、後端部は座部材１９の外側面に係止している。該座部材１９は、アンカーバー１４とアンカーバー１４の抜け止め部１４ａの間に設けられた、ゴム等の弾性材からなるものである。
【００３９】
なお、前記空隙１８を設けることなく、アンカーバー１４の外面に沿ってゴム等の弾性材により形成して調整部材１６としても良い。
【００４０】
前記の雌型連結部材１は、一方の連結部品、例えばシールドセグメント１５に、ケーシング２の先端部側３ａ面がシールドセグメント１５の接合面１５ａと面一になるように埋設して固設されるもので、その前記調整部材１６、空隙保持用パイプ１７、抜け止め部１４ａの外部にはコンクリート１５ｂが打設されている。このように、コンクリートが打設されていても、前記調整部材１６と空隙保持用パイプ１７と空隙１８と座部材１９を設けたことで、雌型連結部材１は、抜け止め部１４ａを中心として、雌型連結部材１の軸芯Ｙ−Ｙと直交する径方向に移動できる。
【００４１】
図３は、雄型連結部材２０を示すものである。変形できる部材、例えば、発泡スチロール、ゴム等の弾性材、樹脂、ダンボールで形成された円筒状の調整部材２１内に、内周に雌ねじ２２ａを刻設した連結体２２を設け、該連結体２２の先部に雄型係止部材２３の基部側に形成した雄ねじ体２３ａを螺着して構成されている。
【００４２】
前記雄型係止部材２３は、前記連結体２２の先端より突出しており、その先部（前側）には、先部が縮径するドーム状の案内部２４が形成されている。すなわち、前記雌型係止部材７を誘導する曲面が形成され、その後部には、後方が縮径する円筒状面からなる係止部（係止面）２５が形成されている。更に、該係止部２５の後部には鍔部２６が形成され、該鍔部２６を前記連結体２２の前端２２ｂに当接して、雄型係止部材２３の軸方向の位置決めがなされている。
【００４３】
また、雌型連結部材１側の前記挿入口６の直径は、前記雄型係止部材２３における頂部２７の直径より若干大きく設定されており、雄型係止部材２３が挿入口６から挿入できるようになっている。更に、前記各雌型係止部材７の前側内端で形成される内径は、前記雄型係止部材２３における頂部２７の直径よりも小さくなるように設定されている。
【００４４】
前記連結体２２の後部には、図３に示すように、アンカーバー３０が螺着して固設されている。該アンカーバー３０の後端には抜け止め部３０ａが設けられている。また、アンカーバー３０の外周には、ゴム等の弾性材もしくは金属からなる空間保持用のパイプ３１が設けられている。空間保持用のパイプ３１の前側端部は、調整部材２１の後側の係止部２１ａに係止し、後側端部は、アンカーバー３０の抜け止め部３０ａに設けられたゴム等の弾性材からなる座部材３２に係止している。アンカーバー３０と空間保持用のパイプ３１との間には空隙３３が設けられている。
【００４５】
なお、前記雌型連結部材１の空隙１８と同様に空隙３３を設けることなく、アンカーバー３０の外面に沿ってゴム等の弾性材により形成して調整部材２１としても良い。
【００４６】
前記調整部材２１、アンカーバー３０、空間保持用パイプ３１は、他方の連結部材、例えば、シールドセグメント３５に、連結体２２の前端面２２ｂがシールドセグメント３５の接合面３５ａと面一になるように埋設して固設されるもので、その前記調整部材２１、空隙保持用パイプ３１、抜け止め部３０ａの外部にはコンクリート３５ｂが打設されている。
【００４７】
前記のようにして連結部材１５に設けられた雌型連結部材１及び他方の連結部材３５に設けられた雄型連結部材２０はともに、変形できる部材からなる調整部材１６、２１と空隙１８、３３と空隙保持用パイプ１７、３１と座部材１９、３２の相互作用により、それぞれのアンカーバー１４、３０の抜け止め部１４ａ、３０ａを中心として雌型連結部材１はその軸芯Ｙ−Ｙ、雄型係止部材２０はその軸芯Ｘ−Ｘと直交する方向に変位できるようになっている。
【００４８】
次に本発明をシールドセグメントに適用した例に基づいて連結操作を説明する。
先ず、図２に示すように、雌型連結部材１の軸芯Ｙ−Ｙと雄型係止部材２０の雄型係止部材２３の軸芯Ｘ−Ｘとが略同軸上に位置した状態で、一方のシールドセグメント１５と他方のシールドセグメント３５を近接させ、雄型係止部材２３を雌型係止部材１の挿入口６より挿入する。
【００４９】
雄型係止部材２３が挿入されると、図４に示すように各雌型係止部材７の先端が雄型係止部材２３の案内部２４に押圧されて付勢手段１２の付勢力に抗して雌型連結部材１の奥方へ後退するとともに、各雌型係止部材７が雄型係止部材２３に押圧移動されて各雌型係止部材７で形成された係止穴８が拡径する。
【００５０】
更に雄型係止部材２３が挿入されると、雄型係止部材２３の頂部２７が各雌型係止部材７を乗り越える。そのとき、付勢手段１２の付勢力により、各雌型係止部材７は、雌型連結部材１の先端部３ａ側（図５の左方）へ押戻され、図５に示すように、ケーシング２のテーパ面７ａと雄型係止部２３間に介入する。また、バネ９の付勢力により各雌型係止部材７には、その前側が外側へ開こうとする力が作用する。
【００５１】
これにより、雌型連結部材１と雄型連結部材２０が連結され、両連結部材１５、３５が連結される。
【００５２】
次に、両連結部材１５、３５の軸芯がずれて図６に示すように、雌型連結部材１の軸芯Ｙ−Ｙと雄型連結部材２０の軸芯Ｘ−Ｘとが、相互に非同芯状態（目違い状態）の寸法Ｄ１で雄型係止部材２３が挿入口６から挿入された場合について説明する。
【００５３】
この目違い状態で雌型連結部材１と雄型連結部材２０を連結する際には、雌型連結部材１は、調整部材１６と空隙保持用パイプ１７と空隙１８と座部材１９により、アンカーバー１４の抜け止め部１４ａを中心として、雄型連結部材２０（図の下側）が位置する側の方向に回動し、雄型連結部材２０も、同様に雄型連結部材２０のアンカーバー３０の抜け止め部３０ａを中心として雌型連結部材１が位置する側（図の上側）の方向に回動してそれぞれが傾斜して挿入される。すなわち、図７に示すように、雌型連結部材１と雄型連結部材２０におけるそれぞれの調整部材１６、２１が加圧方向に圧縮されて、ケーシング２と連結体２２が傾斜する。
【００５４】
そして、雌型連結部材１と雄型連結部材２０とが連結すると、図７に示すように、雌型連結部材１の軸芯と、雄型連結部材２０の軸芯とは一直線となり、これらの軸芯は、図７に示すように連結前の軸芯Ｘ−Ｘ、Ｙ−Ｙに対してθ１の角度に傾斜したＺ−Ｚ線となる。これにより、ケーシング２の先端部２ｂの面と連結体２２の前端面２２ｂは、両シールドセグメント１５、３５の連結面Ｓに対してθ１の角度に傾斜する。
【００５５】
このように、雌型連結部材１と雄型連結部材２０との双方が回動することにより、図３０に示すような従来の雌型係止部材２００と雄型連結部２０１の軸芯がへの字に折れ曲がって連結されるのとは異なり、雌型連結部材１の軸芯と、雄型連結部材２０の軸芯とは一直線となることができ、雌型連結部材の連結面と雄型連結部材の連結面とは、平行に相対し、かつ、両シールドセグメント１５、３５の連結面Ｓ間に隙間が開くことなく密着して接して連結することができ、連結相互の連結状態をより高めることができる。
【００５６】
また、雌型連結部材１と雄型連結部材２０とが連結状態の時に、地震が起きて両連結部材１５、３５がずれた場合にも、連結面Ｓが開くことなく密着した連結状態を確保することができる。
【実施例２】
【００５７】
図８乃至図１０は実施例２を示す。
図８は、雌型連結部材４０と雄型連結部材４１を示すものである。
【００５８】
雌型連結部材４０は、ケーシング４２を有し、該ケーシング４２は、筒状、例えば円筒状に形成され、その内部に収納室４３が形成されている。該収納室４３の先部は、その内周面を先端部４３ａ側から後方（奥部）にかけて内径が徐々に拡大するテーパ面にしてなる円錐状のテーパ穴４４に形成され、収納室４３の中間部はバネ収納部４５に形成され、収納室４３の後部内周には雌ねじ４２ａが刻設されている。前記テーパ穴４４より先部には挿入口（開口部）４６が開口形成されている。
【００５９】
前記テーパ穴４４内には、軸方向に沿った摺動案内突条４７が、図９（ａ）に示すように周方向に分割して複数形成されている。なお、この摺動案内突条４７はなくても良い。
【００６０】
また、前記テーパ穴４４内には、図９（ａ）に示すように、周方向に分割してなる楔状の雌型係止部材４８が、前記摺動案内突条４７相互間においてケーシング４２の軸方向に摺動可能に配設されている。更に、該楔状の雌型係止部材４８の外面は、前記テーパ穴４４のテーパ面に沿った、すなわち、先端部４２ａ側から後方にかけて外径が徐々に拡大するテーパ面４８ａが形成されている。更に、各雌型係止部材４８の内周面には雌ねじ４８ｂが、ケーシング４２の軸芯Ｙ−Ｙを中心とする円弧でかつ軸芯Ｙ−Ｙに沿った方向に刻設されている。
【００６１】
なお、雌型係止部材４８は、図９（ａ）においては３個で図示したが、図９（ｂ）に示すように１個など任意の数に設定する。
【００６２】
なお、本実施例２において、雌型係止部材４８を以下楔ナット４８という。
上記により、複数個の楔ナット４８により雄ねじ穴が形成され、各楔ナット４８がテーパ面に沿って後退することにより、その雌ねじ穴が拡径され、先方へ移動することにより、その雌ねじ穴が縮径するようになっている。
【００６３】
また、前記楔ナット４８の後端には、各楔ナット４８に共通して係合する付勢手段受け１０が配置されている。
【００６４】
前記ケーシング４２の後部の雌ねじ４２ａには、中心部にねじ穴１１ａを形成した蓋板１１が螺着されている。前記付勢手段収納部４５内の前記付勢手段受け１０と蓋板１１の間には、前記と同様な付勢手段１２が収納されている。該付勢手段１２の付勢力により各楔ナット４８は、常時先端部４３ａ方向へ付勢されている。
【００６５】
一方、前記雌型連結部材４０の先端部４３ａ面は、前記実施例１と同様に、一方の連結部品、例えば、シールドセグメント１５の接合面１５ａと面一になるように埋設して固設される。  
【００６６】
前記ケーシング４２の外面には前記実施例１と同様の調整部材１６が設けられている。更に前記実施例１と同様のアンカーバー１４、抜け止め部１４ａ、座部材１９が設けられ、その外部に空間保持用パイプ１７が設けられている。
【００６７】
その他の構造は前記実施例１と同様である。
次に、雄型連結部材４１について説明する。
【００６８】
雄型連結部材４１は、変形できる部材、例えば、発泡スチロール、ゴム等の弾性材、樹脂、ダンボールで形成された円筒状の調整部材２１内に、内周に雌ねじ２２ａを刻設した連結体２２を設け、該連結体２２の先部に雄型係止部材５０の基部側に形成した雄ねじ体５０ａを螺着して構成されている。雄型係止部材５０は、前記連結体２２の先端より突出している。また、該雄型係止部材５０の雄ねじ体５０ａより先部には雄ねじ５０ｂが刻設されており、該雄ねじ５０ｂの直径は、前記各楔ナット４８が最前進した場合に、これらで形成されるねじ穴の直径よりも若干大径に設定されている。
【００６９】
また、前記実施例１と同様のアンカーバー３０、抜け止め部３０ａ、座部材３２が設けられ、その外部に空間保持用パイプ３１が設けられている
上記以外の構造は、前記実施例１と同様であり、前記実施例１と同様の部材については、同じ符号を付し、説明を省略する。
【００７０】
次に、本実施例２における楔ナット４８の雌ねじ４８ｂと、雄型係止部材５０の雄ねじ５０ｂについて説明する。
【００７１】
前記楔ナット４８の雌ねじ４８ｂと、前記雄型係止部材５０の雄ねじ５０ｂのねじピッチは所望に設定するが、その呼び径に対するねじピッチＰ（図１０）をＪＩＳに規定する細目ねじの呼び径に対するねじピッチよりも小さくして形成してもよい。例えば、ＪＩＳ  Ｂ  ０２０７に規定するメートル細目ねじの呼び径に対するねじピッチの幅より小さく形成する。
【００７２】
例として、呼び径がＭ２４（ｍｍ）の場合には、前記ＪＩＳ  Ｂ  ０２０７のメートル細目ねじではねじピッチＰを２ｍｍ又は１．５ｍｍ又は１ｍｍに形成するが、本発明では、ねじピッチＰを０．３ｍｍ〜０．８ｍｍ、望ましくは０．５ｍｍに設定する。
【００７３】
また、呼び径がＭ３０（ｍｍ）の場合にもねじピッチＰを０．３ｍｍ〜０．８ｍｍ、望ましくは０．５ｍｍに設定する。
【００７４】
次に、本実施例２をシールドセグメントに適用した例に基づいて連結操作を説明する。
先ず、雌型連結部材４０の挿入口４６と雄型連結部材４１の雄型係止部材５０を略同軸上に対向配置した状態で、例えば一方のシールドセグメント１５を他方のシールドセグメント３５に近接させる。
【００７５】
これにより、雄型係止部材５０が、雌型連結部材４０における挿入口４６から進入し、その後、雄型係止部材５０が各楔ナット４８を付勢手段１２の付勢力に抗して後退させて各楔ナット４８で形成されるねじ穴を拡径しつつ挿入する。
【００７６】
雌型連結部材４０におけるケーシング４２の先端面、すなわち、一方のシールドセグメント１５の接合面１５ａと、雄型連結部材４１における連結体２２の先端面、すなわち他方のシールドセグメント３５の接合面３５ａが接して雄型連結部材４１の挿入が停止されると、各楔ナット４８は、付勢手段１２の付勢力によって先端面４３ａ側へ押戻されるとともにねじ穴径が縮径し、各楔ナット４８の雌ねじ４８ｂが雄型係止部材５０の雄ねじ５０ｂに噛合する。これによって両シールドセグメント１５、３５は相互に連結される。
【００７７】
この連結時において、各楔ナット４８は、最終的に噛合すべき雄型係止部材５０のねじ山を乗り越えることができず、雄型係止部材４１には、その軸方向へのガタつきが生じ、両シールドセグメント１５、３５の接合面１５ａ、３５ａ相互間に隙間が生じる。
【００７８】
しかし、楔ナット４８の雌ねじ４８ｂと雄型係止部材５０の雄ねじ５０ｂのねじピッチＰが、前記のように、通常使用されているＪＩＳ規定の細目ねじのピッチよりも小さく形成されているので、前記のガタつきは極めて小さくなる。
【００７９】
例えば、呼び径Ｍ２４（ｍｍ）の場合において、ねじピッチＰが従来のＪＩＳ  Ｂ  ０２０７の細目ねじのように２ｍｍであると、雌型連結部材４０と雄型連結部材４１との隙間が１〜４ｍｍになるのに対し、本実施例の様に呼び径がＭ２４（ｍｍ）の場合にねじピッチＰを０．５ｍｍに設定すると前記の隙間は０．２５ｍｍ〜１ｍｍとなる。
【００８０】
このように、隙間が少なくなることは、両シールドセグメント１５、３５間での水漏れを防止することができる。更に、シールドセグメント１５、３５にシール材を設ける場合においても、このシール材を小さなものにしてコスト低減を図ることができる。
【００８１】
また、ねじピッチＰを従来のものよりも小さくすることによって、楔ナット４８及び雄型係止部材５０の径方向の寸法を従来のものよりも小さくすることができ、これにより、連結具全体を小型化し、シールドセグメントの厚さを薄くすることができ、かつ連結具及びシールドセグメントのコスト低減を図ることができる。
【００８２】
また、付勢手段１２の付勢力によって楔ナット４８の雌ねじ４８ｂが雄型係止部材５０の雄ねじ５０ｂに抜け方向の力が作用すると楔ナット４８が食い込むため、ねじピッチＰが小さくても強固な連結状態が確保される。
【００８３】
本実施例２においても、雌型連結部材４０と雄型連結部材４１に前記実施例１と同様に、調整部材１６、２１及び空間保持用パイプ１４、３１、座部材１９、３２を設けたことにより、両軸芯Ｘ−Ｘ、Ｙ−Ｙが不一致の場合にも前記実施例１と同様の効果を奏する。
【実施例３】
【００８４】
図１１乃至図１４は実施例３を示す。
図１１は、雌型連結部材６０と雄型連結部材６１を示すものである。
【００８５】
雄型連結部材６１は、変形できる部材、例えば、発泡スチロール、ゴム等の弾性材、樹脂、ダンボールで形成された円筒状の調整部材２１内に、内周に雌ねじ２２ａを刻設した連結体２２を設け、該連結体２２の先部に雄型係止部材６２の基部側に形成した雄ねじ体６２ａを螺着して構成されている。
【００８６】
雄型係止部材６２は、図１２（ａ）に示すように、円筒状の主体部６２ｂと、その後部に設けた雄ねじ体６２ａと、前部に設けた係止部６２ｃと、主体部６２ｂの後部に設けた切欠部６２ｄが一体に形成されている。
【００８７】
係止部６２ｃの後半部は、主体部６２ｂの外径よりも大径の係止鍔部６２ｅに形成され、前半部は、その外面が係止鍔部６２ｅの外周面から前方に従って縮径するテーパ面に形成したテーパ部６２ｆに形成されている。なお、係止鍔部６２ｅの後面は垂直状の係止面６２ｇになっている。切欠部６２ｄは、図１２（ｃ）に示すように、平面状に切欠され、かつ、１８０°離れた２箇所に平行的に形成されており、該切欠部６２ｄに治具を嵌合して雄型係止部材６２を容易に回転できるようになっている。
【００８８】
係止部６２ｃの中心部には、穴部６３が形成されている。該穴部６３は、係止部６２ｃの前端部に開口し、前端部から主体部６２ｂに亘って設けられた有底状の穴で、係止部６２ｃと穴部６３は、同芯状に形成されている。
【００８９】
更に、穴部６３から係止部６２ｃと主体部６２ｂを内外に貫通して、図１２（ｂ）に示すような、割溝６４が形成されている。また、該割溝６４は、周方向に４箇所等間隔に形成され、穴部６３の内径は縮径及び拡径できるようになっている。
【００９０】
次に、雌型連結部材６０について説明する。
雌型連結部材６０は、ケーシング６５を有する。ケーシング６５は筒状、例えば円筒状に形成され、その内部に収納室６６が形成されている。ケーシング６５の軸方向長Ｌ１は、前記雄型係止部材６２における主体部６２ｂと係止部６２ｃの軸方向長の和Ｌ２と同一か或いは若干長く設定されている。
【００９１】
該ケーシング６５の外面には前記と同様の調整部材１６が設けられている。
前記収納室６６は、前端部６６ａから後方にかけて内径が縮径するテーパ状の案内面６５ｂが形成されている。更に、収納室６６の後部には係止溝６７が全周にわたって形成され、その前端面は垂直状の係止面６７ａに形成されている。該係止溝６７の軸方向長Ｌ３は、前記雄型係止部材６２の係止部６２ｃの軸方向長Ｌ４と同一か或いは若干長く設定され、更に、その係止溝６７の内径は、係止部６２ｃにおける係止鍔部６２ｅの使用前の外径と略同径に設定されている。
【００９２】
ケーシング６２の後端部には蓋体６８が溶接固着されている。蓋体６８の中央部には、雌型係止部材６９が設けられている。該雌型係止部材６９は、図１３（ｃ）に示すように、円筒状の主体部６９ａと、その前部に一体形成した案内部６９ｂと、後部に一体形成した仮止め部６９ｃとからなる。
【００９３】
雌型係止部材６９の主体部６９ａの外径は、前記雄型係止部材６２における穴部６３の内径より若干大径に形成され、その外周面にはローレット溝が刻設されている。また、主体部６９ａの軸方向長Ｌ５は、前記係止溝６７の軸方向長Ｌ３より若干短く設定されている。
【００９４】
雌型係止部材６９の案内部６９ｂの外周面は、前部にいくに従って縮径するテーパ状に形成されている。
【００９５】
雌型係止部材６９は、仮止め部６９ｃを、前記蓋体６８の中央部に形成した止穴６８ａに圧入して、ケーシング６５と同心的に仮止めされている。
【００９６】
上記以外の構造は、前記実施例１と同様であり、前記実施例１と同様の部材については、同じ符号を付し、その説明を省略する。
【００９７】
次に、本実施例３をシールドセグメントに適用した例に基づいて連結操作を説明する。
先ず、雌型連結部材６０の挿入口と雄型連結部材６１の雄型係止部材６２を略同軸上に対向配置した状態で、例えば一方のシールドセグメント１５を他方のシールドセグメント３５に近接させる。そして、雄型係止部材６２をケーシング６５内へ押し嵌入する。
【００９８】
この嵌入時において、雄型係止部材６２は、そのテーパ部６２ｆと収納室６６の案内面６５ｂとの係合により、収納室６６内に誘導される。さらに、雄型係止部材６２をケーシング６５（収納室６６）内に挿入すると、雄型係止部材６２は割溝６４により縮径してケーシング６５内を摺動して進入する。雄型係止部材６２が、更に進入すると、その穴部６３内に雌型係止部材６９が嵌入し、雄型係止部材６２が拡径して、雄型係止部材６２の係止鍔部６２ｅが、係止溝６７の係止面６７ａに対面して図１４に示すように、相互に係止する。
【００９９】
上記のように係止することにより、雄型係止部材６２の抜け外れが阻止され、連結部材６０、６１は相互に連結される。
【０１００】
また、雄型係止部材６２と雌型係止部材６９における主体部６９ａとの摩擦抵抗が、雌型係止部材６９における仮止め部６９ｃと蓋体６８との摩擦抵抗より大きく設定しておくことにより、仮に雄型係止部材６２が抜け外れ方向に移動した場合には、仮止め部６９ｃが蓋体６８に対して摺動し、雌型係止部材６９が雄型係止部材６２とともに移動し、雄型係止部材６２の縮径変化を阻止できる。したがって、雄型係止部材６２が縮径して抜け外れることを確実に防止され、両連結部材６０、６１の連結が確実に保持される。
【０１０１】
本実施例３においても、雌型連結部材６０と雄型連結部材６１に前記実施例１と同様に、調整部材１６、２１及び空間保持用パイプ１４、３１、座部材１９、３２を設けたことにより、両軸芯Ｘ−Ｘ、Ｙ−Ｙが不一致の場合にも前記実施例１と同様の効果を奏する。
【実施例４】
【０１０２】
図１５は、実施例４を示す。
前記実施例１の雌型連結部材１と雄型連結部材２０を図１５に示すように板状の雌型連結部材７０と、板状の雄型連結部材７１としてもよい。
【０１０３】
雌型連結部材７０は、ケーシング７１ａ、７１ｂを有する。該ケーシング７１ａ、７１ｂは、例えば、直方体に形成して合体されており、その内部に収納室７２が形成されている。該収納室７２の先部は、その側周面を先端部側から後方（奥部）にかけて拡がるテーパ面７３に形成されている。収納室７２の先端部は扁平状に開口して挿入口７１ｃになっている。また、収納室７２の奥部には付勢手段収納部７４、７５が形成されている。
【０１０４】
また、前記収納室７２のテーパ面７３、７３間には、図１５に示すように、２個の雌型係止部材７６、７７が所望の距離で離間して対向配設されている。前記雌型係止部材７６、７７の外側面は前記テーパ面７３に沿った、すなわち、先端部（挿入口７１ｃ）側から後方にかけて徐々に拡がる外側テーパ面７６ａ、７７ａが形成されている。更に、各雌型係止部材７６、７７の内側面には、先端部側から後方にかけて対向間隔が徐々に拡大する内側テーパ面７６ｂ、７７ｂが形成されている。
【０１０５】
この雌型係止部材７６、７７には表裏面に貫通する案内長穴８０、８１が前後方向に形成され、ケーシング７１ａ、７１ｂ側には、前記案内長穴８０、８１に挿通する案内ピン７８、７９が固着されて立設されている。これにより、雌型係止部材７６、７７が、テーパ面７３に沿って収納室７２内を前後方向に摺動可能になっている。
【０１０６】
付勢手段収納部７４、７５には付勢手段８２、８３であるバネが圧縮して収納されており、該付勢手段８２、８３の付勢力により、雌型係止部材７６、７７は先端部（挿入口７１ｃ）方向に常時付勢されている。
【０１０７】
前記ケーシング７１ａ、７１ｂの左右側には、前記と同様の調整部材１６が配置されている。また、前記実施例と同様に、ケーシング７１ａ、７１ｂの後方には、アンカーバー８７、抜け止め部８７ａを設け、アンカーバー８７の外周部には前記の調整部材１６と同様の調整部材８８が設けられている。
【０１０８】
雄型連結部材７１は、雄型係止部材８４とアンカーバー８５とから構成され、これらがプレス或いは鋳造により一体に形成されている。アンカーバー８５の後端部には抜け止め部８５ａが形成されている。アンカーバーの外周部には、前記の調整部材２１と同様に調整部材８６が設けられている。
【０１０９】
上記以外の構造は、前記実施例１と同様であり、前記実施例１と同様の部材については、同じ符号を付し、説明を省略する。
【０１１０】
本実施例４においても、雌型連結部材２０の雌型係止部材８４を、雌型連結部材７０の挿入口７１ａから挿入することにより、前記実施例１乃至３と同様に連結することができる。
【０１１１】
また、本実施例４においても、雌型連結部材７０と雄型連結部材７１に前記実施例１と同様に、調整部材１６、８６、８８を設けたことにより、両軸芯が不一致の場合にも前記実施例１と同様の効果を奏する。
【実施例５】
【０１１２】
図１６乃至図１８は、実施例５を示す。
本実施例５において連結部材１０１、１０２は、図１６に示すように、金属製の側枠１０３、１０４の内側にコンクリート１０５、１０６を打設した部材、例えばシールドセグメントなどである。
【０１１３】
両連結部材１０１、１０２の側枠１０３、１０４には、図１７、図１８に示すように、連結位置に穴１０７、１０８が形成されている。
【０１１４】
本実施例５は、前記実施例１乃至４に示す雌型連結部材１、４０、６０、７０のアンカーバー１４と、雄型連結部材２０、４１、６１、７１のアンカーバー３０、８５を設けず、調整部材１６、２１を、ケーシング２、４２、６５、７１ａ、７１ｂと連結体２２の外周部のみに設けたものである。図１７、図１８は、前記実施例１の構造に本実施例５を適用した例を示し、その雌型連結部材１０９と雄型連結部材１１０を示す。
【０１１５】
なお、調整部材１６、２１をケーシング２、４２、６５、７１ａ、７１ｂと連結体２２の後部に設けてもよい。
【０１１６】
そして、雌型連結部材１０９を図１７に示すように、側枠１０３の穴１０７の位置に設け、雄型連結部材１１０を図１８に示すように、側枠１０４の穴１０８の位置に設けた。穴１０７の内径は、雌型連結部材１０９のケーシング２の外径より小さく、かつ、収納室３の開口部内径よりも大きく形成され、穴１０８の内径は、雄型連結部材１１０の連結体２２の外径より小さく、かつ、雄型係止部材２３の基部の内径よりも大きく設定されている。
【０１１７】
上記以外の構造は、前記実施例１乃至３と同様であり、前記実施例１乃至３と同様の部材については、同じ符号を付し、その説明を省略する。
【０１１８】
なお、図１７、図１８では、雌型連結部材１０９と雄型連結部材１１０の双方に調整部材１６、２１を設けたが、雌型連結部材１０９か雄型連結部材１１０のどちらか一方のみに設けても良い。
【０１１９】
本実施例５においても雌型連結部材１０９と雄型連結部材１１０の外周に前記と同様に、調整部材１６、２１を設けたことにより、両軸芯Ｘ−Ｘ、Ｙ−Ｙが不一致の場合にも前記実施例１乃至４と同様の効果を奏する。
【０１２０】
さらに、本実施例５においては、前記実施例１のようなアンカーバー３０、８５を設けないことで、雌型連結部材１０９は、その軸芯Ｙ−Ｙに略平行状態で、軸芯Ｙ−Ｙに直交する方向に移動でき、雄型連結部材１１０は、そ軸芯Ｘ−Ｘに略平行状態で、軸芯Ｘ−Ｘに直交する方向に移動できるため、両連結部材１０１、１０２間に目違いが生じても、従来のような雄型連結部材と雌型連結部材との軸芯が折れ曲がることがなく、雌型連結部材１０９の軸芯と、雄型連結部材１１０の軸芯とは一直線となることができ、雌型連結部材の連結面と雄型連結部材と連結面とは、平行に相対し連結面間に隙間が開くことなく密着して接して連結することができる。
【０１２１】
また、雌型連結部材１０９と雄型連結部材１１０の双方に調整部材１６、２１を設けた場合には、対応できる非同芯状態（目違い状態）の寸法Ｄ１（図７参照）を大きくすることができる。また、いずれか一方の連結部材みに設けた場合には、連結部材が平行移動しかできないが、図７のように雌型連結部材と雄型連結部材の軸芯が傾いた状態でも対応できるために、雄型と雌型連結部材双方に調整部材に設けたほうが、合計の調整部材の厚さが同じ場合でも、対応できる目違い状態の寸法が大きくなる。
【実施例６】
【０１２２】
図１９、図２０は、実施例６を示す。
本実施例６においては、前記実施例５と同様に、前記実施例１乃至４の雌型連結部材１、４０、６０、７０のアンカーバー１４と、雄型連結部材２０、４１、６１、７１のアンカーバー３０、８５を設けず、調整部材１６、２１を、ケーシング２、４２、６５、７１ａ、７１ｂと連結体２２の外周部のみに設け、前記調整部材１６、２１の外周及び蓋体１１又は連結体２２の後部に外枠１１２、１１３を設け、該外枠１１２、１１３の後端部に該枠１１２、１１３から外側に向けて突出する抜け止め部１１２ａ、１１３ａを設けて、雌型連結部材１１４と雄型連結部材１１５を構成したものである。
【０１２３】
なお、調整部材１６、２１をケーシング、４２、６５、７１ａ、７１ｂと連結体２２の後部に設けてもよい。
【０１２４】
外枠１１２、１１３の接合面側の端面は、連結部品、例えばシールドセグメント１５、３５の接合面１５ａ、３５ａと面一になるように埋設して固設されている。
【０１２５】
また、外枠１１２、１１３の接合面側は、開口し、雌ねじ１１２ｂ、１１３ｂが刻設されており、蓋体１１６、１１７が前記雌ねじに螺着されている。
【０１２６】
該蓋体１１６、１１７の中央部には穴１１８、１１９が形成されており、雌型連結部材１１４の蓋体１１６の穴１１８の内径は、ケーシング２の外径より小さく、かつ、収納室３の開口部内径よりも大きく、雄型連結部材１１５の蓋体１１７の穴１１９の内径は、雄型連結部材１１５の連結体２２の外径より小さく、かつ、雄型係止部材２３の基部の内径よりも大きく設定されている。
【０１２７】
上記以外の構造は、前記実施例１乃至４と同様であり、前記実施例１乃至４と同様の部材については、同じ符号を付し、その説明を省略する。
【０１２８】
なお、図１９、図２０では、雌型連結部材１１４と雄型連結部材１１５の双方に調整部材１６、２１を設けたが、雌型連結部材１１４か雄型連結部材１１５のどちらか一方のみに設けても良い。
【０１２９】
本実施例６においても雌型連結部材１１４のケーシング２と雄型連結部材１１５の連結体２２の外周に前記のように、調整部材１６、２１を設けたことにより前記実施例１乃至５と同様の効果を奏する。
【０１３０】
さらに、本実施例６においては、調整部材１６、２１の外周に外枠を設けることにより、調整部材１６、２１がコンクリートによる影響で変質することが少なくなる。
【実施例７】
【０１３１】
図２１、図２２は、実施例７を示す。
本実施例７は、前記実施例６の前記外枠１１２、１１３の後端部に抜け止め部１１２ａ、１１３を設けるのではなく、調整部材１６、２１の外周に外枠１２０、１２１を設け、外枠１２０、１２１から後ろ側に突出するアンカーバー１２２、１２３を設け、該アンカーバー１２２、１２３の後端部にアンカーバー１２２、１２３から外側に突出する抜け止め部１２２ａ、１２３ａを設けて、雌型連結部材１２４と雄型連結部材１２５としたものである。
【０１３２】
外枠１２０、１２１の接合面側の端面は、連結部品、例えばシールドセグメント１５、３５の接合面１５ａ、３５ａと面一になるように埋設して固設されている。
【０１３３】
また、外枠１２０、１２１の接合面側は、開口し、雌ねじ１２０ａ、１２１ａが刻設されており、該雌ねじ１２０ａ、１２１ａに蓋体１２６、１２７が螺着されている。
【０１３４】
該蓋体１２６、１２７の中央部には穴１２８、１２９が形成されており、雌型連結部材１２４の蓋体１２６の穴１２８の内径は、収納室３の開口部内径よりも大きく、かつ、ケーシング２よりも小さく設定され、雄型連結部材１２５の蓋体１２７の穴１２９の内径は、雄型連結部材１２５の雄型係止部材２３の基部の内径よりも大きく、かつ、連結体２２の外径よりも小さく設定されている。
【０１３５】
上記以外の構造は、前記実施例１乃至４と同様であり、前記実施例１乃至４と同様の部材については、同じ符号を付し、説明を省略する。
【０１３６】
なお、図２１、図２２では、雌型連結部材１２４と雄型連結部材１２５の双方に調整部材１６、２１を設けたが、雌型連結部材１２４か雄型連結部材１２５のどちらか一方のみに設けても良い。
【０１３７】
本実施例７においても雌型連結部材１２４のケーシング２と外枠１２０の間と、雄型連結部材１２５の連結体２２と外枠１２１との間に前記のように、調整部材１６、２１を設けたことにより、前記実施例１乃至６と同様の効果を奏する。
【実施例８】
【０１３８】
図２３、図２４は実施例８を示す。
図２３は、本実施例８の雌型連結部材１３１を示すものである。
【０１３９】
雌型連結部材１３１は、ケーシング１３２を有する。該ケーシング１３２は、先部が筒状に形成された筒状部１３２ａと、該筒状部１３２ａの後部を球の一部で形成して外面に球面１３２ｆを有する球状部１３２ｂと、更に球状部１３２ｂの後面を円錐面１３２ｇに形成した円錐部１３２ｃとで構成されている。筒状部１３２ａと球状部１３２ｂと円錐部１３２ｃは同芯状に形成されている。
【０１４０】
該ケーシング１３２の内部には収納室１３３が形成されている。該収納室１３３の内部は、前記実施例１と同様の構造を有し、前記と同様の部分には、前記と同一の符号を付してその説明を省略する。
【０１４１】
なお、図２３における雌型連結部材１３１の収納室１３３の内部を、前記実施例１の収納室３の内部と同様の構造として図示したが、前記実施例２乃至４と同様の収納室４３、６６、７２の内部構造としても良い。
【０１４２】
ケーシング１３２の外周部には、外枠１３４が設けられ、ケーシング１３２の円筒部１３２ａと外枠１３４との間には空間１４５が設けられている。なお、この空間１４５を、前記実施例のような変形できる部材、例えば、発泡スチロール、ゴム等の弾性材、樹脂、ダンボールなどからなる調整部材で充填しても良い。
【０１４３】
また、外枠１３４の先端部とケーシング１３２の先端部は同一面上に形成されている。
また、外枠１３４の内面の後部から後端面にかけては、図２３に示すように、ケーシング１３２の球状部１３２ｂの外面である球面１３２ｆと同一の半径か若干大きい半径を有する球の一部の球面１３４ａで形成され、該球面１３４ａが球面１３２ｆに摺動可能に嵌合し、ケーシング１３２が円錐部１３２ｃの頂点である後端部１３２ｄを中心として、雌型係止部材１３１の軸芯Ｙ−Ｙと直交する方向に変位できるようになっている。前記後端部１３２ｄは後述するアンカーバー１３６に当接している。
【０１４４】
外枠１３４の最後部には雌ねじ１３４ｂが刻設されており、該雌ねじ１３４ｂに底板１３５が螺着し固設されている。
【０１４５】
底板１３５には、底板１３５から後方向に突出するアンカーバー１３６が螺着して固設されている。該アンカーバー１３６の後側には、該アンカーバー１３６から外側に向けて突出する抜け止め部１３６ａが設けられている。
【０１４６】
前記、雌型連結部材１３１は、その前端を露出させてシールドセグメント１５に埋設される。
【０１４７】
次に、図２４を基に雄型連結部材１３７を説明する。
雄型連結部材１３７は、連結体１３８を有する。該連結体１３８は、先部が筒状に形成された筒状部１３８ａと、該筒状部１３８ａの後部を球の一部で形成して外面に球面１３８ｆを有する球状部１３８ｂと、更に球状部１３８ｂの後面を円錐面に形成した円錐部１３８ｃとで構成されている。筒状部１３８ａと球状部１３８ｂと円錐部１３８ｃは同芯状に形成されている。
【０１４８】
前記連結体１３８の内周には雌ねじ１３８ｈが刻設され、該連結体１３８の先部には、前記実施例１と同様な雄型係止部材２３が、その基部側に形成した雄ねじ体２３ａを前記雌ねじ１３８ｈに螺着して突設している。
【０１４９】
なお、図２４においては、雄型係止部材２３を図２３の雌型連結部材１３１に対応する形で図示したが、雄型係止部材２３は、雌型連結部材の該収納室の内部構造に対応して、前記実施例１乃至４に図示する雄型係止部材の構造にしてもよい。
【０１５０】
連結体１３８の外周部には、外枠１３９が設けられ、連結体１３８の円筒部１３８ａと外枠１３９との間には空間１４６が設けられている。なお、この空間１４６を、前記実施例のような、変形できる部材、例えば、発泡スチロール、ゴム等の弾性材、樹脂、ダンボールなどからなる調整部材で充填しても良い。
【０１５１】
また、外枠１３９の先端部と連結体１３８の先端部は同一平上に形成されている。
また、外枠１３９の内面の後部から後端面にかけては、図２４に示すように、連結体１３８の球状部１３８ｂの外面である球面１３８ｆと同一の半径か若干大きい半径を有する球の一部の球面１３９ａで形成され、該球面１３９ａが球面１３８ｆに摺動可能に嵌合し、連結体１３８が円錐部１３８ｃの頂点である後端部１３８ｄを中心として、雄型連結部材１３７の軸芯Ｘ−Ｘと直交する方向に変位できるようになっている。
【０１５２】
外枠１３９の最後部には雌ねじ１３９ｂが刻設されており、該雌ねじ１３９ｂに底板１４０が螺着し固設されている。
【０１５３】
底板１４０には、底板１４０から後方向に突出するアンカーバー１４１が螺着して固設されている。該アンカーバー１４１の後側には、該アンカーバー１４１から外側に向けて突出する抜け止め部１４１ａが設けられている。
【０１５４】
前記雄型連結部材１３７は、その前端を露出させてシールセグメント３５に埋設されている。
【０１５５】
上記以外の構造は、前記実施例１乃至４と同様であり、前記実施例１乃至４と同様の部材については、同じ符号を付し、その説明を省略する。
【０１５６】
本実施例８においても前記のように、コンクリートで固定された外枠１３４に対してケーシング１３２を変位可能に備え、また、コンクリートで固定された外枠１３９に対して連結体１３８を変位可能に備えたので、ケーシング１３２及び収納室１３３と、連結体１３７及び雄型係止部材２３が、雌型連結部材１３１と雄型連結部材１３７の軸芯と直交する方向に変位でき、前記実施例１乃至７と同様の効果を奏する。
【実施例９】
【０１５７】
図２５、図２６は実施例９を示す。
本実施例９は、前記実施例８のアンカーバー１３６、１４１を設けず、外枠１３４、１３９の後部に図２５、図２６に示すように、外側に向かって突出する抜け止め部１５０、１５１を設けたものである。
【０１５８】
上記以外の構造は、前記実施例８と同様であり、前記実施例８と同様の部材については、同じ符号を付し、その説明を省略する。
【０１５９】
本実施例９においても、前記実施例１乃至８と同様の効果を奏する。
【その他の実施例】
【０１６０】
前記実施例１乃至９に示した雌型連結部材と雄型連結部材の組合せで使用する以外にも、前記の雌型連結部材と雄型連結部材とが連結できる組合せであれば、前記実施例１乃至９に記載した雄型連結部材と雌型連結部材の組合せに限るものではなく、その組合せは任意に設定してもよい。
【図面の簡単な説明】
【０１６１】
【図１】本発明の実施例１の雌型連結部材の横断面図。
【図２】本発明の実施例１の雌型連結部材と雄型連結部材の一部拡大横断面図。
【図３】本発明の実施例１の雄型連結部材の横断面図。
【図４】本発明の実施例１の雌型連結部材と雄型連結部材の連結操作途中を示す一部横断面図。
【図５】本発明の実施例１の雌型連結部材と雄型連結部材の連結状態を示す一部横面断面図。
【図６】本発明の実施例１の雌型連結部材と雄型連結部材のそれぞれの軸芯がずれた状態を示す横面図。
【図７】本発明の実施例１の雌型連結部材と雄型連結部材のそれぞれの軸芯がずれた状況で連結した状態を示す横拡大断面図。
【図８】本発明の実施例２の雌型連結部材と雄型連結部材の横拡大断面図。
【図９】（ａ）は、図８のＡ−Ａ線断面図、（ｂ）は、雌型係止部材を１個使用した例でＡ−Ａ線断面に相当する図。
【図１０】雌型係止部材と雄型係止部材の連結状態のねじ部分の拡大図。
【図１１】本発明の実施例３の雌型連結部材と雄型連結部材を示す横断面図。
【図１２】本発明の実施例３の雄型係止部材を示す図で、（ａ）は横面図、（ｂ）は前面図、（ｃ）は（ａ）のＢ−Ｂ線断面図。
【図１３】（ａ）は、本発明の実施例３の雌型連結部材の拡大横断面図、（ｂ）は（ａ）のＣ−Ｃ線断面図、（ｃ）は雌型係止部材の横面図。
【図１４】本発明の実施例３の雌型連結部材と雄型連結部材の連結状態を示す一部横断面図。
【図１５】本発明の実施例４の雌型連結部材と雄型連結部材の斜視図。
【図１６】本発明の実施例５の連結部材を示す図。
【図１７】本発明の実施例５の雌型連結部材の１例を示す横断面図。
【図１８】本発明の実施例５の雄型連結部材の１例を示す横断面図。
【図１９】本発明の実施例６の雌型連結部材の１例を示す横断面図。
【図２０】本発明の実施例６の雄型連結部材の１例を示す横断面図。
【図２１】本発明の実施例７の雌型連結部材の１例を示す横断面図。
【図２２】本発明の実施例７の雄型連結部材の１例を示す横断面図。
【図２３】本発明の実施例８の雌型連結部材の１例を示す横断面図。
【図２４】本発明の実施例８の雄型連結部材の１例を示す横断面図。
【図２５】本発明の実施例９の雌型連結部材の１例を示す横断面図。
【図２６】本発明の実施例９の雄型連結部材の１例を示す横断面図。
【図２７】本発明と対比するために想定した連結具の連結操作を示す横断面参考図。
【図２８】図２７に示す雌型連結部材と雄型連結部材の連結操作の途中を示す横断面図。
【図２９】図２７に示す雌型連結部材と雄型連結部材のそれぞれの軸芯がそろった状況で連結した状態を示す横拡大断面図。
【図３０】図２７に示す雌型連結部材と雄型連結部材のそれぞれの軸芯がずれた状況で連結した状態を示す横拡大断面図。
【符号の説明】
【０１６２】
１、４０、６０、７０、１０９、１１４、１２４、１３１    雌型連結部材
２０、４１、６１、７１、１１０、１１５、１２５、１３７  雄型連結部材
７、４８、６９、７６、７７  雌型係止部材
２、４２、６５、７１ａ、７１ｂ、１３２  ケーシング
３、４３、６６、７２、１３３    収納室
５、４５、７４、７５  付勢手段収納部
１２、８２、８３    付勢手段
１６、２１、８６、８８    調整部材
１７、３１          空隙保持用パイプ
１４、３０、８５、８７    アンカーバー
１４ａ、３０ａ、８５ａ、８７ａ  アンカーバーに設けた抜け止め部
２３、５０、６２、８４  雄型係止部材
２２、１３８        連結体
６７    係止溝
６７ａ  係止面
１１２、１１３、１２０、１２１、１３４、１３９  外枠  
１１２ａ、１１３ａ、１５０、１５１  外枠に設けた抜け止め部
１２２、１２３、１３６、１４１      外枠に設けたアンカーバー
【図１】
2006118302.tif 000003
【図２】
2006118302.tif 000004
【図３】
2006118302.tif 000005
【図４】
2006118302.tif 000006
【図５】
2006118302.tif 000007
【図６】
2006118302.tif 000008
【図７】
2006118302.tif 000009
【図８】
2006118302.tif 000010
【図９】
2006118302.tif 000011
【図１０】
2006118302.tif 000012
【図１１】
2006118302.tif 000013
【図１２】
2006118302.tif 000014
【図１３】
2006118302.tif 000015
【図１４】
2006118302.tif 000016
【図１５】
2006118302.tif 000017
【図１６】
2006118302.tif 000018
【図１７】
2006118302.tif 000019
【図１８】
2006118302.tif 000020
【図１９】
2006118302.tif 000021
【図２０】
2006118302.tif 000022
【図２１】
2006118302.tif 000023
【図２２】
2006118302.tif 000024
【図２３】
2006118302.tif 000025
【図２４】
2006118302.tif 000026
【図２５】
2006118302.tif 000027
【図２６】
2006118302.tif 000028
【図２７】
2006118302.tif 000029
【図２８】
2006118302.tif 000030
【図２９】
2006118302.tif 000031
【図３０】
2006118302.tif 000032